(57)【要約】【課題】  ガスインジェクションサイクルを適用した冷凍サイクルにおいて、冷凍サイクルの効率向上を図ることができる冷凍サイクル及びそれに用いる圧縮機を提供する。【解決手段】  冷媒を圧縮する複数の作動室４５Ａ，４５Ｂが設けられた圧縮機３と、圧縮された冷媒の熱を放熱させる放熱器５と、放熱された冷媒の圧力を減圧させる高圧側減圧部７と、減圧された冷媒を更に減圧させる低圧側減圧部１１と、低圧側減圧部１１で減圧された冷媒に熱を吸収させる吸熱器１３と、を有し、複数の作動室４５Ａ，４５Ｂの内の一の作動室４５Ｂには、高圧側減圧部７により減圧された冷媒の一部を一の作動室４５Ｂに供給する冷媒供給手段１７が設けられ、他の作動室４５Ａには、吸熱器１３を介して残りの冷媒が供給されることを特徴とする。【選択図】  図１
2007003033.tif 000002
【特許請求の範囲】
【請求項１】
冷媒を圧縮する複数の作動室が設けられた圧縮機と、
圧縮された冷媒の熱を放熱させる放熱器と、
放熱された冷媒の圧力を減圧させる高圧側減圧部と、
減圧された冷媒を更に減圧させる低圧側減圧部と、
該低圧側減圧部で減圧された冷媒に熱を吸収させる吸熱器と、を有し、
前記複数の作動室の内の一の作動室には、前記高圧側減圧部により減圧された冷媒の一部を前記一の作動室に供給する冷媒供給手段が設けられ、
他の作動室には、前記吸熱器を介して残りの冷媒が供給されることを特徴とする冷凍サイクル。
【請求項２】
前記一の作動室には、前記冷媒供給手段からのみ前記冷媒が供給されることを特徴とする請求項１記載の冷凍サイクル。
【請求項３】
前記冷媒供給手段には、前記冷媒の圧力変動を緩和する圧力変動緩和手段が設けられていることを特徴とする請求項１または２に記載の冷凍サイクル。
【請求項４】
前記一の作動室の容積が、前記他の作動室の容積と異なることを特徴とする請求項１から３のいずれかに記載の冷凍サイクル。
【請求項５】
吸熱器で蒸発した低圧吸入ガスを圧縮する少なくとも一以上の作動室と、
該作動室とは独立し、冷凍サイクル中で分離されたインジェクションガスを圧縮する少なくとも一以上のインジェクションガス専用の作動室とを有することを特徴とする圧縮機。
【請求項６】
前記圧縮機が、前記一の作動室および前記他の作動室を１つずつ備えたロータリ式圧縮機であることを特徴とする請求項５記載の圧縮機。
【請求項７】
前記圧縮機が、
略円柱状のシリンダが設けられた２つのシリンダ部材と、
該シリンダ部材に対して回転可能に支持されるとともに、所定偏心量を有する偏心軸部が２ヶ所に形成されたシャフトと、
円筒形状を有し前記偏心軸部に回転可能に嵌合され、前記シリンダの内周面に沿って公転運動をする２つのロータと、を有し、
前記一の作動室および前記他の作動室が、それぞれ前記シリンダの内周面と前記ロータの外周面との間に形成され、
前記一の作動室および前記他の作動室における前記偏心軸部の偏心量および前記ロータの外径が異なることを特徴とする請求項６記載の圧縮機。
【請求項８】
前記一の作動室および前記他の作動室における前記シリンダの中心軸線方向長さが異なることを特徴とする請求項６または７に記載の圧縮機。
【発明の詳細な説明】
【技術分野】
【０００１】
本発明は、圧縮機およびそれを用いた冷凍サイクルに関する。
【背景技術】
【０００２】
一般に、冷凍・空調装置等の冷凍サイクルに用いられる圧縮機としては、ピストン式やロータリ式やスクロール式の圧縮機が知られている。
これらロータリ式圧縮機や、スクロール式圧縮機を用いた冷凍サイクルを能力向上させる手法として、放熱器と吸熱器との間に２つの減圧器を備え、これら減圧器を用いて冷媒を２段膨張させ、一の減圧器を通過した後の中間圧を有する冷媒を圧縮機の圧縮行程に供給するガスインジェクション（エコノマイザーサイクル）が知られている（例えば、特許文献１参照。）。
【特許文献１】特開平７−１１０１６７号公報
【発明の開示】
【発明が解決しようとする課題】
【０００３】
上述の特許文献１においては、圧縮機と凝縮器（放熱器）と気液分離室と蒸発器（吸熱器）等を有する冷房（冷凍）サイクルにおいて、圧縮機が、蒸発器から吸入された冷媒を圧縮する第１作動室と、第１作動室の吐出側に接続されて第１作動室において圧縮された冷媒を受け入れる中間圧力室と、中間圧力室から吸入した冷媒をさらに圧縮する第２作動室とを備え、中間圧力室と気液分離室とが管路により接続されている冷房サイクルに関する技術が開示されている。
【０００４】
しかしながら、上述の特許文献１においては、気液分離室内における冷媒圧力と、中間圧力室内における冷媒圧力の差圧を利用して、気液分離室から中間圧力室へ気体冷媒を供給している。つまり、一の減圧器を通過した後の冷媒圧力（気液分離室内の冷媒圧力）は、第１作動室から吐出される冷媒圧力（中間圧室内の冷媒圧力）よりも高い圧力に設定する必要がある。
【０００５】
一般的に、ガスインジェクションにおいては、一の減圧器を通過した後の中間圧力を低圧にするほど冷凍サイクルの効率が向上する。上述のように、上記中間圧力を低圧にできないと、冷凍サイクルの効率向上が図れないという問題があった。
一方、上記中間圧力を低圧にすると、第１作動室から吐出された冷媒が気液分離室内へ逆流する恐れがあり、冷凍サイクルの効率向上が図れないという問題があった。
【０００６】
本発明は、上記の課題を解決するためになされたものであって、ガスインジェクションサイクルを適用した冷凍サイクルにおいて、冷凍サイクルの効率向上を図ることができる圧縮機および冷凍サイクルを提供することを目的とする。
【課題を解決するための手段】
【０００７】
上記目的を達成するために、本発明は、以下の手段を提供する。
本発明の冷凍サイクルは、冷媒を圧縮する複数の作動室が設けられた圧縮機と、圧縮された冷媒の熱を放熱させる放熱器と、放熱された冷媒の圧力を減圧させる高圧側減圧部と、減圧された冷媒を更に減圧させる低圧側減圧部と、該低圧側減圧部で減圧された冷媒に熱を吸収させる吸熱器と、を有し、前記複数の作動室の内の一の作動室には、前記高圧側減圧部により減圧された冷媒の一部を前記一の作動室に供給する冷媒供給手段が設けられ、他の作動室には、前記吸熱器を介して残りの冷媒が供給されることを特徴とする。
【０００８】
本発明によれば、高圧側減圧部により減圧された冷媒の一部が、冷媒供給手段により一の作動室に供給され、吸熱器から流出した残りの冷媒が他の作動室に供給される。その結果、高圧側減圧部により減圧された後の冷媒圧力を上記他の作動室に供給されて圧縮される冷媒の圧力（中間圧）とは無関係に所定の低い圧力に設定することができ、ガスインジェクションを用いた冷凍機の効率向上を図ることができる。
つまり、高圧側減圧部により減圧された冷媒の一部を、直接、一の作動室に供給するため、圧力差により冷媒が逆流する恐れがなく、上記減圧後の圧力を所定の低い圧力に設定することができる。また、上記減圧後の圧力を所定の低い圧力に設定できるため、吸熱器における熱交換量を増加させることができ、冷凍サイクルの効率向上を図ることができる。
なお、冷媒供給手段により一の作動室へ供給される一部の冷媒は、高圧側減圧部により減圧された段階において気体の冷媒であることが望ましく、吸熱器を介して他の作動室へ供給される他の冷媒は、高圧側減圧部により減圧された段階において液体の冷媒であることが望ましい。
【０００９】
上記発明においては、前記一の作動室には、前記冷媒供給手段からのみ前記冷媒が供給されることが望ましい。
本発明によれば、一の作動室には冷媒供給手段からのみ冷媒が供給されるため、一の作動室には高圧側減圧部により減圧された冷媒のみが供給される。そのため、冷媒が冷媒供給手段を逆流する恐れがなく、冷凍サイクルの効率向上を図ることができる。
【００１０】
上記発明においては、
前記冷媒供給手段には、前記冷媒の圧力変動を緩和する圧力変動緩和手段が設けられていることが望ましい。
本発明によれば、冷媒供給手段には圧力変動緩和手段が設けられているため、一の作動室に供給される冷媒の圧力変動を緩和させることができる。そのため、一の作動室に冷媒を安定して供給することができ、冷凍サイクルの効率向上を図ることができる。
【００１１】
上記発明においては、前記一の作動室の容積が、前記他の作動室の容積と異なることが望ましい。
本発明によれば、例えば、一の作動室の容積と他の作動室の容積との比を、高圧側減圧部により減圧された後の冷媒における気体と液体との比（クオリティ）に応じて定めることにより、冷凍サイクルの効率向上を図ることができる。
【００１２】
本発明の圧縮機は、吸熱器で蒸発した低圧吸入ガスを圧縮する少なくとも一以上の作動室と、該作動室とは独立し、冷凍サイクル中で分離されたインジェクションガスを圧縮する少なくとも一以上のインジェクションガス専用の作動室とを有することを特徴とする。
本発明によれば、吸熱器で蒸発した低圧吸入ガスを圧縮する作動室とは別に独立したインジェクションガス専用の作動室を有しているため、インジェクションガス冷媒の圧力、つまり中間圧力を、低圧吸入ガスを圧縮する作動室で圧縮される冷媒の圧力とは無関係な所定の低い圧力に設定してインジェクションガスを吸入圧縮することができる。従って、ガスインジェクションを用いた冷凍サイクルに好適な圧縮機を提供することができる。
【００１３】
上記発明においては、前記圧縮機が、前記一の作動室および前記他の作動室を１つずつ備えたロータリ式圧縮機であることが望ましい。
本発明によれば、圧縮機として、一の作動室および他の作動室を１つずつ備えたロータリ式圧縮機を用いることにより、冷凍サイクルの効率向上を図ることができる。
【００１４】
上記発明においては、前記圧縮機が、略円柱状のシリンダが設けられた２つのシリンダ部材と、該シリンダ部材に対して回転可能に支持されるとともに、所定偏心量を有する偏心軸部が２ヶ所に形成されたシャフトと、円筒形状を有し前記偏心軸部に回転可能に嵌合され、前記シリンダの内周面に沿って公転運動をする２つのロータと、を有し、前記一の作動室および前記他の作動室が、それぞれ前記シリンダの内周面と前記ロータの外周面との間に形成され、前記一の作動室および前記他の作動室における前記偏心軸部の偏心量および前記ロータの外径が異なることが望ましい。
【００１５】
本発明によれば、一の作動室および他の作動室における偏心軸部の偏心量およびロータの外径を異ならせることにより、シリンダの中心軸線方向長さおよび径が同一であっても一の作動室および他の作動室の容積を異ならせることができる。
【００１６】
上記発明においては、前記一の作動室および前記他の作動室における前記シリンダの中心軸線方向長さが異なることが望ましい。
本発明によれば、一の作動室および他の作動室におけるシリンダの中心軸線方向の長さを異ならせることにより、一の作動室および他の作動室の容積を異ならせることができる。
【発明の効果】
【００１７】
本発明の冷凍サイクルによれば、高圧側減圧部により減圧された冷媒の一部が、冷媒供給手段により一の作動室に供給され、吸熱部から流出した残りの冷媒が他の作動室に供給されるため、高圧側減圧部により減圧された後の冷媒圧力を所定の低い圧力に設定することができ、ガスインジェクションを用いた冷凍サイクルの効率向上を図ることができるという効果を奏する。
【００１８】
本発明の圧縮機によれば、吸熱器で蒸発した低圧吸入ガスを圧縮する作動室とは別に独立したインジェクションガス専用の作動室を有しているため、インジェクションガス冷媒の圧力を吸熱器で蒸発した低圧吸入ガスを圧縮する作動室で圧縮される冷媒の圧力とは無関係に所定の低い圧力に設定でき、上記のガスインジェクションを用いた冷凍サイクルに好適な圧縮機を提供できる。
【発明を実施するための最良の形態】
【００１９】
この発明の一実施形態に係る冷凍サイクル及びそれに用いる圧縮機について、図１から図６を参照して説明する。
図１は、本発明の一実施形態に係る冷凍サイクルの概略構成を説明する図である。
冷凍サイクル１は、図１に示すように、冷媒を圧縮するロータリ式圧縮機３と、圧縮された冷媒の熱を放熱させるコンデンサ（放熱器）５と、放熱された冷媒の圧力を減圧させる第１膨張弁（高圧側減圧部）７と、減圧された冷媒を気液分離するレシーバ９と、液冷媒をさらに減圧する第２膨張弁（低圧側減圧部）１１と、減圧された液冷媒に熱を吸収させるエバポレータ（吸熱器）１３と、エバポレータ１３から流出した冷媒の気液分離をするアキュムレータ１５と、から概略構成されている。
【００２０】
レシーバ９とロータリ式圧縮機３との間には、レシーバ９において気液分離された気体冷媒をロータリ式圧縮機３に供給するインジェクション流路（冷媒供給手段）１７が配置されている。インジェクション流路１７には、その内部をながれる冷媒の圧力変動を緩和するマフラ（圧力変動緩和手段）１９が設けられている。
【００２１】
マフラ１９は、インジェクション流路１７に対して直列に配置され、インジェクション流路１７と比較して径が大きな容器として形成されている。マフラ１９内には、異物を捕捉するストレーナ（図示せず）が備えられていることが望ましい。ストレーナを備えることにより、異物がロータリ式圧縮機３に流入することを防止でき、不具合発生を防止できるからである。
【００２２】
アキュムレータ１５は、後述する冷媒吸入流路に対して直列に配置され、冷媒吸入流路と比較して径が大きな容器として形成されている。アキュムレータ１５内には、異物を細くするストレーナ（図示せず）が備えられている。
【００２３】
図２は、図１のロータリ式圧縮機の構成を説明する断面図である。
ロータリ式圧縮機３は、図２に示すように、密封容器であるハウジング２１と、このハウジング２１内に収納され、外部から供給される気体冷媒を圧縮する圧縮機構部２３と、圧縮機構部２３を駆動する駆動部２５と、から概略構成されている。
【００２４】
ハウジング２１は、両端が閉じられた略円筒形状の密封容器として構成され、その中心軸線が略鉛直（図２中の上下方向）となるように設置されている。ハウジング２１内部の下方（図２中の下方）には、圧縮機構部２３が配置されているとともに、ハウジング２１内部の上方（図２中の上方）には、駆動部２５が配置されている。
【００２５】
また、ハウジング２１の下部側面には、エバポレータ１３から冷媒を圧縮機に供給する冷媒吸入流路２７およびインジェクション流路１７が挿入されている。これら冷媒吸入流路２７およびインジェクション流路１７は圧縮機構部２３に接続され、それぞれ気体冷媒を供給している。
なお、ハウジング２１の底部には、圧縮機構部２３の潤滑等に用いられる潤滑油（図示せず）が貯留されている。
【００２６】
圧縮機構部２３は、冷媒吸入流路２７およびインジェクション流路１７から供給された気体冷媒を圧縮して高圧の圧縮気体としたのちにハウジング２内に送出するものである。
ハウジング２の上方部には、外部から冷媒吐出流路２９が挿通されている。ハウジング２内に一時的に貯留された圧縮気体は、冷媒吐出流路２９を通じて、ロータリ式圧縮機３からコンデンサ５へ送り込まれる。
【００２７】
圧縮機構部２３は、円柱状のシリンダ３１が形成された２のシリンダ部材３３Ａ，３３Ｂと、シリンダ部材３３Ａ，３３Ｂの間に配置されるセパレータ３５と、を有している。シリンダ部材３３Ａ，３３Ｂは、互いのシリンダ３１の中心軸線が略同軸となるように、中心軸線方向に隣接配置されている。
各シリンダ３１の内部には、シリンダ３１の内径よりも小径の円筒状のロータ３７Ａ，３７Ｂが、その中心軸線をシリンダ３１の中心軸線と略平行となるように配置されている。
【００２８】
シリンダ部材３３Ａ，３３Ｂ、セパレータ３５、及びロータ３７には、クランクシャフト（シャフト）３９が挿通されている。クランクシャフト３９は、その中心軸線がシリンダ部材３３の配列方向と略平行に配置され、下端側を圧縮機構部２３に挿通されている。
クランクシャフト３９の上端側は、駆動部２５によって支持され、駆動部２５によって中心軸線回りに回転駆動されるよう構成されている。
駆動部２５は、クランクシャフト３９の上端側を保持するロータを有する電動モータであり、このロータを回転させることでクランクシャフト３９が回転駆動されるようになっている。なお、電動モータの構成としては公知の構成を用いることができ、特に限定するものではない。
【００２９】
クランクシャフト３９には、シリンダ部材３３Ａ，３３Ｂに挿通される領域に略円柱状の偏心軸部４１Ａ，４１Ｂが形成されている。偏心軸部４１Ａ，４１Ｂの外側にはそれぞれロータ３７Ａ，３７Ｂが係合され、クランクシャフト３９が回転駆動されることにより、ロータ３７Ａ，３７Ｂがシリンダ３１の内周面上に沿って偏心回転するように構成されている。
ここで、偏心軸部４１Ａ，４１Ｂは、偏心方向をクランクシャフト３９の軸線まわりに約１８０°ずらして設けられている（すなわち軸線まわりの位相が約１８０°ずれている）。これにより、クランクシャフト３９が回転駆動された際に偏心軸部４１Ａに生じる慣性モーメントと偏心軸部４１Ｂに生じる慣性モーメントとが互いに打ち消し合って、クランクシャフト３９の回転が安定する。
【００３０】
図３は、図２のロータリ式圧縮機におけるＡ−Ａ矢視断面図である。
シリンダ部材３３Ａは、図３に示すように、その外径がハウジング２１の内径と略同一に形成された略円盤状の部材であり、その中心軸線がハウジング２１の中心軸線と略同軸となるように固定されている。
シリンダ部材３３Ａの径方向内側領域には、その中心軸線と略同軸の中心軸線を有する段面視円形の貫通孔であるシリンダ３１が形成されている。シリンダ３１の内部には、上述したロータ３７Ａが収納されている。ロータ３７Ａの中心軸線方向長さは、シリンダ３１の中心軸線方向長さと略同一である。シリンダ３１内には、これらロータ３７Ａの外周面とシリンダ３１の内周面とセパレータ３５と端部軸受４３Ａにより囲まれた圧縮室（他の作動室）４５Ａが形成されている。
【００３１】
シリンダ部材３３Ａには、外周面からシリンダ３１まで通じる吸気口４７Ａが形成されている。吸気口４７Ａには、冷媒吸入流路２７が挿入され、冷媒吸入流路２７を通じて圧縮室４５Ａへ冷媒が供給される。
シリンダ３１には、シリンダ３１と上面の径方向内側の領域とを接続する吐出ポート４９が、吸気口４７に対して周方向に隣接して形成されている。吐出ポート４９に流出口にはシリンダ３１から流出する方向の流れのみを許容する吐出弁（図示せず）が配置されている。吐出弁はシリンダ３１内の冷媒圧力が所定圧力以上となった場合のみ開き、冷媒をシリンダ３１の外へ流出させるものである。
【００３２】
シリンダ部材３３Ａには、平面視において吸気口４７の開口端と吐出ポート４９との間に、シリンダ３１の内周面から径方向外側に向かうスリット５１が形成されている。スリット５１は、略均等な幅に形成されているとともに、シリンダ部材３３Ａの上下面にも開口するように形成されている。スリット５１の径方向外側の端部には、上下面に開口する圧力室５３が形成されている。圧力室５３は、ハウジング２１内に連通するように構成されている。
【００３３】
スリット５１内には板状のブレード５５が配置され、ブレード５５はシリンダ３１の中心軸線に対して略平行、かつ、シリンダ３１に対して進出・退避可能に配置されている。
ブレード５５は、スリット５１の幅と略同一の厚さと、シリンダ部材３３の中心軸線方向長さと略同一の長さとを有するように形成されている。ブレード５５は、圧力室５３側の端面で圧力室５３の内圧（ハウジング２１の内圧）を受け、この圧力によりシリンダ３１の径方向内側へ突出するように付勢されている。
ブレード５５の径方向内側の端面はロータ３７Ａの外周面に接触し、圧縮室４５Ａを高圧空間ＳＨと低圧空間ＳＬとに分割している。ブレード５５は、偏心回転するロータ３７Ａに追従してスリット５１内に進出退避する。
【００３４】
図４は、図２のロータリ式圧縮機におけるＢ−Ｂ矢視断面図である。
シリンダ部材３３Ｂは、図４に示すように、シリンダ部材３３Ａと同様の構成を有するため、同一の構成要素についてはその説明を省略し、異なる構成要素についてのみ説明する。
【００３５】
シリンダ部材３３Ｂに形成されたシリンダ３１の内部には、上述したロータ３７Ｂが収納されている。ロータ３７Ｂの中心軸線方向長さは、シリンダ３１の中心軸線方向長さと略同一である。シリンダ３１内には、これらロータ３７Ｂの外周面とシリンダ３１の内周面とセパレータ３５と端部軸受４３Ｂとにより囲まれた圧縮室（一の作動室）４５Ｂが形成されている。
シリンダ部材３３Ｂには、外周面からシリンダ３１まで通じる吸気口４７Ｂが形成されている。吸気口４７Ｂには、インジェクション流路１７が挿入され、インジェクション流路１７を通じて圧縮室４５Ｂへ冷媒が供給される。
【００３６】
次に上述した冷凍サイクルの作用について説明する。
図５は、図１の冷凍サイクルを説明するモリエル線図である。
ロータリ式圧縮機３により圧縮され高圧となった冷媒（Ｐ１）は、図１および図５に示すように、コンデンサ５に向かって吐出される。コンデンサ５に流入した冷媒はその熱を外部に放出して凝縮し（Ｐ２）、第１膨張弁７に向かって流出する。冷媒は第１膨張弁７により減圧され中間圧の冷媒となり（Ｐ３）レシーバ９に流入する。冷媒はレシーバ９において液冷媒とガス冷媒とに分離され、液冷媒は第２膨張弁１１に向かって流出する（Ｐ４）。液冷媒は第２膨張弁１１により減圧され低圧の冷媒となり、エバポレータ１３に流入する（Ｐ５）。低圧の冷媒はエバポレータ１３において外部の空気から熱を奪い、蒸発してアキュムレータ１５に向かって流出する。アキュムレータ１５に流入した冷媒は、液冷媒とガス冷媒とに分離され、ガス冷媒はロータリ式圧縮機３に流入する（Ｐ６）。一方、レシーバ９において分離されたガス冷媒は、インジェクション流路１７、マフラ１９を介してロータリ式圧縮機３に流入する（Ｐ７）。ロータリ式圧縮機３に流入した冷媒は再び圧縮される（Ｐ１´）
再びロータリ式圧縮機３により圧縮された冷媒は、コンデンサ５に吐出され上述のサイクルを繰り返す。
【００３７】
次にロータリ式圧縮機３の作用について説明する。
ロータリ式圧縮機３においては、図２に示すように、駆動部２５によりクランクシャフト３９が回転される。クランクシャフト３９が回転されると偏心軸部４１Ａ、４１Ｂを介してロータ３７Ａ，３７Ｂが偏心回転される。
ロータ３７Ａ，３７Ｂが偏心回転されると、図３および図４に示すように、圧縮室４５Ａ，４５Ｂにそれぞれ冷媒吸入流路２７、インジェクション流路１７から冷媒が吸入される。圧縮室４５Ａに吸入された冷媒は、ロータ３７Ａの回転とともに圧縮され、吐出ポート４９からハウジング２１内に吐出される。一方、圧縮室４５Ｂに吸入された冷媒は、ロータ３７Ｂの回転とともに圧縮され、吐出ポート４９からハウジング２１内に吐出される。圧縮室４５Ａ、４５Ｂからそれぞれハウジング２１内に吐出された冷媒は、ハウジング２１内で合流し、冷媒吐出流路２９を介してコンデンサ５に供給される。
【００３８】
ここで、圧縮室４５Ａ，４５Ｂの容積比は、第１膨張弁７により減圧された後における（図５中のＰ３）ガス冷媒と液冷媒との重量比（クオリティ）に基づいて定められている。具体的には、圧縮室４５Ａ，４５Ｂの容積比は、上記クオリティと略同一になるように定められている。
このような構成にすることにより、レシーバ９において分離されたガス冷媒の大半を、インジェクション流路１７を介して圧縮室４５Ｂに供給することができる。一方、レシーバ９において分離された液冷媒の大半を、エバポレータ１３、冷媒吸入流路２７を介して圧縮室４５Ａに供給することができる。
【００３９】
圧縮室４５Ａ，４５Ｂの容積比は、偏心軸部４１Ａ，４１Ｂの偏心量４２Ａ，４２Ｂと、ロータ３７Ａ，３７Ｂの外径３８Ａ，３８Ｂと、を所定値に設定することにより定められている。この時に、シリンダ部材３３Ａ，３３Ｂにおける両シリンダ３１の中心軸方向長さ及び内径は、略同一に形成されている。
そのため、シリンダ部材３３Ａ，３３Ｂおよびシリンダ３１の寸法を共通とすることができ、シリンダ部材３３Ａ，３３Ｂおよびシリンダ３１の加工工程を共通にすることができる。
【００４０】
上記の構成によれば、第１膨張弁７により減圧された冷媒のうちのガス冷媒が、インジェクション流路１７により圧縮室４５Ｂに供給され、残りの液冷媒がエバポレータ１３を介して圧縮室４５Ａに供給されるため、第１膨張弁７により減圧された後の冷媒圧力を所定の低い圧力に設定することができ、ガスインジェクションを用いた冷凍サイクル１の効率向上を図ることができる。
つまり、第１膨張弁７により減圧された冷媒のうちのガス冷媒が、直接、圧縮室４５Ｂに供給されるため、冷媒が逆流する恐れがなく、上記減圧後の圧力を所定の低い圧力に設定することができる。また、上記減圧後の圧力を所定の低い圧力に設定できるため、エバポレータ１３における熱交換量を増加させることができ、冷凍サイクル１の効率向上を図ることができる。
【００４１】
インジェクション流路１７にはマフラ１９が設けられているため、圧縮室４５Ｂに供給される冷媒の圧力変動を緩和させることができる。そのため、圧縮室４５Ｂに冷媒を安定して供給することができ、冷凍サイクル１の効率向上を図ることができる。
【００４２】
圧縮室４５Ａ，圧縮室４５Ｂの容積比を、第１膨張弁７により減圧された後の冷媒における気体と液体との比（クオリティ）に応じて定めることにより、冷凍サイクルの効率向上を図ることができる。
つまり、第１膨張弁７により減圧された段階で気相状態となっている冷媒を圧縮室４５Ｂで圧縮するとともに、液相状態であった冷媒をエバポレータ１３で蒸発させた後に圧縮室４５Ａで圧縮することにより、冷媒の循環および外気との熱交換効率を向上でき、冷凍サイクル１の効率向上を図ることができる。
【００４３】
図６は、本発明に係る冷凍サイクルの他の実施形態を説明する概略構成図である。
なお、図１に示すように、冷凍機１として、コンデンサ５とエバポレータ１３との間にレシーバ９を配置するレシーバ方式を用いてもよいし、図６に示すように、コンデンサ５とエバポレータ１３との間に熱交換器１０１を配置する気液熱交換式を用いてもよい。
【００４４】
かかる場合において、コンデンサ５から流出した冷媒は２つに分岐され、一方の冷媒はそのまま熱交換器１０１内を通過し、主膨張弁１０３により減圧された後、エバポレータ１３に流入する。他方の冷媒は副膨張弁１０５により減圧され、熱交換器１０１内を通過した後、ロータリ式圧縮機３に流入する。熱交換器１０１においては、主膨張弁１０３により減圧される前の冷媒と、副膨張弁１０５により減圧された後の冷媒との間で熱交換が行なわれる。
【００４５】
なお、上述のように圧縮室４５Ａ，４５Ｂの容積比を偏心軸部４１Ａ，４１Ｂの偏心量およびロータ３７Ａ，３７Ｂの外径と、により定めてもよいし、シリンダ３１およびロータ３７Ａ，３７Ｂ等の中心軸線方向長さにより定めてもよく、特に限定するものではない。かかる場合に偏心軸部４１Ａ，４１Ｂの偏心量とロータ３７Ａ，３７Ｂの外径とは、略同一に形成されている。
【００４６】
なお、本発明の技術範囲は上記実施形態に限定されるものではなく、本発明の趣旨を逸脱しない範囲において種々の変更を加えることが可能である。
上記の実施の形態においては、この発明を冷凍サイクルとして説明したが、具体的には冷凍機、空調機など、その他各種の冷凍サイクルを適用した機器に適用できるものである。
【図面の簡単な説明】
【００４７】
【図１】本発明の冷凍サイクル及びそれに用いる圧縮機に係る一実施形態の概略構成を説明する図である。
【図２】図１のロータリ式圧縮機の構成を説明する断面図である。
【図３】図２のロータリ式圧縮機におけるＡ−Ａ矢視断面図である。
【図４】図２のロータリ式圧縮機におけるＢ−Ｂ矢視断面図である。
【図５】図１の冷凍サイクルを説明するモリエル線図である。
【図６】本発明の冷凍サイクルに係る他の実施形態を説明する概略構成図である。
【符号の説明】
【００４８】
１  冷凍サイクル
３  ロータリ式圧縮機
５  コンデンサ（放熱器）
７  第１膨張弁（高圧側減圧部）
１１  第２膨張弁（低圧側減圧部）
１３  エバポレータ（吸熱器）
１７  インジェクション流路（冷媒供給手段）
１９  マフラ（圧力変動緩和手段）
３１  シリンダ
３３Ａ，３３Ｂ  シリンダ部材
３７Ａ，３７Ｂ  ロータ
３９  クランクシャフト（シャフト）
４１Ａ，４１Ｂ  偏心軸部
４５Ａ  圧縮室（他の作動室）
４５Ｂ  圧縮室（一の作動室）
【図１】
2007003033.tif 000003
【図２】
2007003033.tif 000004
【図３】
2007003033.tif 000005
【図４】
2007003033.tif 000006
【図５】
2007003033.tif 000007
【図６】
2007003033.tif 000008